(57)【要約】【課題】本発明は、棚部材の表面に溜った浴水等の排水を目的としたもので、好ましくは、上段の棚部材からの排水が下段の棚部材上に落下しないようにした浴室用の棚部材及びこれを用いた浴室収納棚を提供するものである。【解決手段】プレ−トと当該プレ−トの最も低い位置に形成した水抜き用穴と浴室の側壁に形成されたフック状の係止部材との間で係止する係止手段とからなる浴室用収納棚の棚部材。Ａ‥棚部材、１‥プレ−ト、２‥壁部、４‥横穴、６‥係止穴（係止手段）。【選択図】図５
2006158435.tif 000002
【特許請求の範囲】
【請求項１】
プレ−トと当該プレ−トの最も低い位置に形成した水抜き用穴と浴室の側壁に形成された係止部材との間での係止手段とからなることを特徴とする浴室用収納棚の棚部材。
【請求項２】
浴室の側壁に形成された係止部材がフック部材である請求項１記載の浴室用収納棚の棚部材。
【請求項３】
浴室の側壁に形成された係止部材がレ−ル溝である請求項１記載の浴室用収納棚の棚部材。
【請求項４】
前記水抜き用穴がプレ−トの周縁に向かう横穴である請求項１乃至３いずれか１に記載の浴室用収納棚の棚部材。
【請求項５】
前記横穴の下縁に横向きの張出片を形成した請求項４記載の浴室用収納棚の棚部材。
【請求項６】
前記横穴は棚部材の後縁部に形成した請求項５記載の浴室用収納棚の棚部材。
【請求項７】
前記横穴は棚部材の後縁部に形成し、かつ、横穴出口が側壁面とは離隔して形成された請求項４記載の浴室用収納棚の棚部材。
【請求項８】
前記水抜き用穴がプレ−トの表裏を貫く貫通穴である請求項４記載の浴室用収納棚の棚部材。
【請求項９】
浴室の側壁に上下多段に係止部材が形成され、前記請求項１乃至８いずれか１に記載の棚部材の係止手段にて係止した浴室用多段収納棚。
【発明の詳細な説明】
【技術分野】
【０００１】
本発明は浴室用の棚部材及びこれを用いた浴室収納棚であって、更に詳しくは、棚部材上に溜った水の排水機能を有する棚部材及び収納棚に係るものである。
【背景技術】
【０００２】
近年、集合住宅は勿論のこと、戸建住宅にあっても、浴室は各種の樹脂プレ−トや防水パン、ユニット化されたバス等にて構成されている。そして、浴室の側壁を構成する樹脂プレ−トには窪みが形成され、これをそのまま、或いはこれに棚部材を嵌め込んで浴室にて使用する、例えば、シャンプ−ボトル、リンスボトル、洗浄液ボトル、石けん、洗浄用具等を収納する収納棚が備えられている。
【０００３】
図１は浴室の側壁に形成された収納棚の一例を示す図である。この例では、側壁１１に収納棚用の窪み１２が縦長に形成され、棚部材Ａを差し込む溝１３（係止部材）が左右対称に形成されている。一方、棚部材Ａはプレ−ト２１に前記窪み１２の奥行きＤと同じ奥行きｄと、窪み１２の幅Ｗと同じ幅ｗを有し、幅ｗの左右には前記の溝１３内に差し込まれるレ−ル部２２（係止手段）を備えたものであって、この例では特に前側に収納物の落下防止用の壁部２３が形成されている。
【０００４】
かかる棚部材Ａのレ−ル部２２（係止手段）を側壁１１の窪み１２に形成した溝１３（係止部材）内に差し込んで収納棚が形成されるが、棚部材Ａの表面には浴水や収納される側の薬液がこぼれたりして、プレ−ト２１の表面に溜るという現象は避けられない。又、水が滞留することで黴や細菌が繁殖しやすい状態となる。勿論、壁部２３が形成されていない全体としてフラットな表面の棚部材Ａであっても同様である。
【発明の開示】
【発明が解決しようとする課題】
【０００５】
本発明は以上のような従来の技術に鑑みてなされたものであり、棚部材の表面に溜った浴水等の排水を目的としたもので、好ましくは、上段の棚部材からの排水が下段の棚部材上に落下しないようにした浴室用の棚部材及びこれを用いた浴室収納棚を提供するものである。
【課題を解決するための手段】
【０００６】
本発明の第１の要旨は、プレ−トと、当該プレ−トの最も低い位置に形成した水抜き用穴と、浴室の側壁に形成された係止部材との間での係止手段と、からなることを特徴とする浴室用収納棚の棚部材である。
【０００７】
本発明の第２の要旨は、浴室の側壁に上下多段に係止部材が形成され、前記第１発明の棚部材の係止手段にて係止したことを特徴とする浴室用多段収納棚である。
【発明の効果】
【０００８】
本発明は以上の通りであり、棚部材上に溜った水は水抜き用穴から流下させるものであって、棚上には水が溜らない構造としたものである。特に上記の横穴の場合には、下部の棚部材上には落下することがなく、そのまま浴室の洗い場に落下する構造となっており、水の落下によって他の棚部材が汚れてしまう（水浸しになってしまう）等という欠点がなくなったものである。
【発明を実施するための最良の形態】
【０００９】
本発明にあって、多段に配置される棚部材に開けられた水抜き穴によって滞留することがなくなるものであり、棚部材を汚すことはなく、更には、下段の棚部材をも汚すことがなくなったものである。
【００１０】
前記水抜き用穴は特に限定はないが、好ましくは、プレ−トの周縁に向かう横穴であり、或いはプレ−トを貫通する（斜めの）貫通穴である。
【００１１】
特に、水抜き用穴を横方向に形成し、しかもこの穴の下側に張出片を形成した際には、この穴から流下する水はこれよりも下段の棚部材上に落下することはなく、下段の棚部材を汚すことはなく、更には、下段の棚部材上に置いた浴室用の各部材を濡らすことがなくなったものである。
【００１２】
そして、浴室の側壁には例えばフック部材或いはレ−ル溝である係止部材が備えられており、これに対して、棚部材側にかかる係止部材と係合する係止手段を備えたものであり、これによって浴室に多段の収納棚を構成したものである。
【００１３】
即ち、浴室の側壁に形成された収納スぺ−スとなる窪みにレ−ル溝（係止部材）を形成し、一方、水抜き用穴を備えると共に、当該レ−ル溝に差し込まれるレ−ル（係止手段）を備えた棚部材とからなる収納棚である。水抜き用穴がプレ−トの周縁に向かう横穴である場合、横穴の下縁に横向きの張出片を形成するのがよい。
【実施例】
【００１４】
以下、先ず第１発明の棚部材Ａを説明をする。図２はその第１例であって、図１における棚部材に本発明を施したものである。即ち、棚部材ＡはＡＢＳ樹脂製であって、プレ−ト１は略矩形をなし、その前後に壁部２が形成されている。このプレ−ト１は前記窪み１２の奥行きＤと同じ奥行きｄと、窪み１２の幅Ｗと同じ幅ｗを有し、幅ｗの左右には前記の溝１３内に差し込まれるレ−ル部３、３（係止手段）を備えたものである。そして、後の壁部２ａを横切って横穴４の形成したものであり、この例では更にその後端縁は手前に切り欠かれ（５）ている。
【００１５】
かかる棚部材Ａを用い、図１に示した側壁１１と組み合わせることによって収納棚が構成されるが、プレ−ト１上に溜まる水は横穴４を通って棚部材Ａの後方から流下することになる。
【００１６】
図３は棚部材Ａの第２例を示す平面図、図４は正面図、図５は背面図、図６は側面図、図７はＡ−Ａ線断面図、図８は側壁へ係止して収納棚とした際の断面図である。かかる棚部材ＡもＡＢＳ樹脂製であって、プレ−ト１は前方をやや曲形とした略矩形をなし、その周囲を壁部２でこれを囲っている。そして、背面の左右には側壁１１側に備えたフック１４に対して嵌り合う係止穴６、６が形成されている。
【００１７】
この例では、プレ−ト１は前述したように幅及び奥行きはｗとｄである。そして、背後の壁部２ａにプレ−ト１の面と同じ水平位置に水抜き用の横穴４を形成したものであり、更にその横穴４の先端には張出片７を形成したものである。そして更に、横穴４の左右に係止穴６、６を設けたことから、結果的に棚部材Ａの後端側にやや隙間が形成されるものであり、棚部材Ａの表面に溜った水はこの横穴４にて、しかも張出片７によって棚部材Ａよりも遠い位置に落下させるものである。
【００１８】
落下する水の側から見れば、棚部材Ａのプレ−ト１の表面に溜った水は横穴４に自然に導かれ、図８に示すように横穴４の下側に形成されている張出片７によってより遠くに落下させることになり、しかもこの落下はいずれの棚部材Ａにも衝突することがなく、この水の落下によって不都合をもたらすことはない。
【００１９】
図９は棚部材Ａの第３例であって、プレ−ト１には前後に壁部２ａ、２ｂを形成して略コ字状となし、プレ−ト１の後方にこれを貫通する斜めの水抜き用横穴４を設けたものである。この棚部材Ａは図１０に示すように浴室の側壁１１に水平に溝１５を形成し、この溝１５内にプレ−ト１の後方縁８を差し込んで収納棚としたものである。滞留水はこの貫通する穴４によって下側に流下してなり、場合によっては下側にある棚部材Ａと同じ位置に水抜き穴４を形成しておくことにより、流下する水はそのまま下部にまで直接流下することができるものである。
【産業上の利用可能性】
【００２０】
本発明は主として棚部材について述べたが、言って見れば水回りの収納棚に適用可能であり、例えば、台所や洗面化粧台等にもそのまま採用できる。
【図面の簡単な説明】
【００２１】
【図１】図１は従来の棚部材及び収納棚を示す図である。
【図２】図２は本発明の棚部材の第１例を示す平面図である。
【図３】図３は本発明の棚部材の第２例を示す平面図である。
【図４】図４は図３の正面図である。
【図５】図５は図３の背面図である。
【図６】図６は図３の側面図である。
【図７】図７はＡ−Ａ線での断面図である。
【図８】図８は第１例の棚部材を用いた収納棚を示す断面図である。
【図９】図９は本発明の棚部材の第３例を示す図である。
【図１０】図１０は第３例の棚部材を用いた収納棚を示す断面図である。
【符号の説明】
【００２２】
Ａ‥棚部材、
１、２１‥プレ−ト、
２、２ａ、２ｂ、２３‥壁部、
３、２２‥レ−ル部（係止手段）、
４‥横穴、
５‥後端縁の切欠部、
６‥係止穴（係止手段）、
７‥張出片、
８‥プレ−トの後方縁、
１１‥側壁、
１２‥窪み、
１３‥溝（係止部材）、
１４‥フック（係止手段）、
１５‥水平溝。
【図１】
2006158435.tif 000003
【図２】
2006158435.tif 000004
【図３】
2006158435.tif 000005
【図４】
2006158435.tif 000006
【図５】
2006158435.tif 000007
【図６】
2006158435.tif 000008
【図７】
2006158435.tif 000009
【図８】
2006158435.tif 000010
【図９】
2006158435.tif 000011
【図１０】
2006158435.tif 000012